(57)【要約】  【課題】  施工が簡単で、解体後の再使用もでき、凹凸のある曲面になじみ易く、可燃性長尺体と開口内周面の間の空隙を十分に埋めることができ、作業者に不快感を与えることのない可燃性長尺体貫通部の防火処理用パッドと、それを用いた防火処理構造を提供する。  【解決手段】  本発明に係る防火処理用パッド１０は、熱膨張性又は非熱膨張性耐火材をペースト状にしてなるペースト状耐火材１２を、プラスチックフィルムで形成された袋１４に充填して密封したものである。このパッド１０を、防火区画体の開口を可燃性長尺体が貫通する部分の前記開口内の空隙に詰め込みんで、パッドの表面を可燃性長尺体表面及び開口内周面に密接させ、防火処理構造とする。【選択図】    図１
2005073357.tif 000002
【特許請求の範囲】
【請求項１】
熱膨張性又は非熱膨張性耐火材をペースト状にしてなるペースト状耐火材を、表面が滑らかで柔軟性があり前記ペースト状耐火材がしみ出すことのない袋に充填して密封したことを特徴とする可燃性長尺体貫通部の防火処理用パッド。
【請求項２】
袋が可燃性である請求項１記載の可燃性長尺体貫通部の防火処理材。
【請求項３】
袋がプラスチックフィルムで形成されている請求項１又は２記載の可燃性長尺体貫通部の防火処理材。
【請求項４】
ペースト状耐火材の稠度が１００〜３００である請求項１ないし３のいずれかに記載の可燃性長尺体貫通部の防火処理材。
【請求項５】
請求項１ないし４のいずれかに記載の防火処理用パッドを、防火区画体の開口を可燃性長尺体が貫通する部分の前記開口内の空隙に詰め込み、袋の表面を可燃性長尺体表面及び開口内周面に密接させたことを特徴とする可燃性長尺体貫通部の防火処理構造。
【発明の詳細な説明】
【技術分野】
【０００１】
本発明は、ケーブルやプラスチック配管等が建築物の防火区画体（防火壁や床など）を貫通する部分に用いられる防火処理用パッドと、それを用いた防火処理構造に関するものである。
【背景技術】
【０００２】
ケーブルやプラスチック配管等の可燃性長尺体が、建築物の防火区画体の開口を貫通する部分には、火災時のケーブルやプラスチック配管を媒体とした延焼を防ぐため、防火処理を施す必要がある。
【０００３】
可燃性長尺体貫通部の防火処理方法としては、可燃性長尺体が貫通する開口内の空隙に非熱膨張性のパテ状耐火材を充填したり、開口の入口に熱膨張性のパテ状耐火材を盛り付けたりして、開口を塞ぐ方法が実用化されている。しかしこれらの方法は次のような欠点がある。(1) パテ状耐火材は素手で扱うと手が汚れるので、手袋をして扱わなければならず、作業が面倒である。(2) 必要量のパテ状耐火材をちぎり取り、指でならしながら施工するので、作業者によって防火処理の品質にバラツキが生じやすい。(3) 施工に時間がかかり、工費、工期がかさむ。(4) 解体して再施工するときは取り除いた耐火材を再使用できない。(5) パテ状耐火材が可燃性長尺体に粘着しているため、可燃性長尺体の温度伸縮によりパテ状耐火材が移動して、防火性能が損なわれることがある。
【０００４】
一方、施工が簡単で、解体後の再使用も可能なものとしては、セラミックスバルクファイバや無機質粉末を、無機物からなる袋に詰めてシールバッグとし、このシールバッグを可燃性長尺体が貫通する開口内の空隙に充填する方法も提案されている。袋の材質としては具体的にはガラスクロスが適するとされている。（例えば特許文献１参照）。
【０００５】
【特許文献１】特開昭５９−３１３４０号公報
【発明の開示】
【発明が解決しようとする課題】
【０００６】
しかしながら、セラミックスバルクファイバや無機質粉末をガラスクロス製の袋に詰めたシールバッグは、柔軟性に乏しいため、凹凸のある曲面になじみ難いという問題がある。可燃性長尺体貫通部では、可燃性長尺体が１本だけということは殆どなく、可燃性長尺体が複数本まとまって貫通するのが普通であるため、その外周面は隣接する可燃性長尺体間に谷部のある凹凸の激しいものとなる。従来提案されているシールバッグは、柔軟性に乏しいため、隣接する可燃性長尺体間の谷部に入り込ませることが難しく、十分な防火性能を得ることが困難である。またガラスクロス製の袋は触るとチクチクするため、作業者に不快感を与える。
【０００７】
本発明の目的は、施工が簡単で、解体後の再使用もでき、凹凸のある曲面になじみ易く、可燃性長尺体と開口内周面の間の空隙を十分に埋めることができ、作業者に不快感を与えることのない可燃性長尺体貫通部の防火処理用パッドと、それを用いた防火処理構造を提供することにある。
【課題を解決するための手段】
【０００８】
本発明に係る可燃性長尺体貫通部の防火処理用パッドは、熱膨張性又は非熱膨張性耐火材をペースト状にしてなるペースト状耐火材を、表面が滑らかで柔軟性があり前記ペースト状耐火材がしみ出すことのない袋に充填して密封したことを特徴とするものである。密封は袋内に空気が残存しないようにすることが好ましい。
【０００９】
本発明の防火処理用パッドに使用する袋は、可燃性であることが好ましく、プラスチックフィルムで形成されていることがより好ましい。
【００１０】
本発明の防火処理用パッドに使用するペースト状耐火材は稠度が１００〜３００範囲にあることが好ましい。
【００１１】
また本発明に係る可燃性長尺体貫通部の防火処理構造は、上記のように構成された防火処理用パッドを、防火区画体の開口を可燃性長尺体が貫通する部分の前記開口内の空隙に詰め込み、パッドの表面を可燃性長尺体表面及び開口内周面に密接させたことを特徴とするものである。
【発明の効果】
【００１２】
本発明に係る防火処理用パッドは、パテ状耐火材よりも十分に柔らかいペースト状耐火材を、柔軟性のある袋に入れたものであるため、パッドのままで形を自由自在に変えることができ、可燃性長尺体の外周面形状や開口の内周面形状になじみ易く、可燃性長尺体貫通部の空隙を簡単に確実に埋めることができる。このため十分な防火性能を得ることができる。
【００１３】
また施工が容易であるため、作業者のスキルに依存する度合いが少なく、品質の安定した防火処理構造を得ることができると共に、大幅な工期短縮、工費節減を図ることができる。
【００１４】
防火処理用パッドは表面が滑らかで変形自在であるため、施工後に解体の必要が生じたときは、パッドのまま引き出すことができ、解体を容易に行うことができる。また引き出したパッドは再施工の際に再使用することができる。
【００１５】
また防火処理用パッドの表面は滑らかであるため、可燃性長尺体との摩擦力が小さく、可燃性長尺体の熱伸縮により防火処理用パッドが位置ずれを起こすおそれが少なく、長期にわたって安定した防火性能を維持することができる。
【００１６】
また防火処理用パッドは、ペースト状耐火材を袋に入れて密封したものであるため、作業者は手を汚すことなく作業を行うことができる。また袋は表面が滑らかであるため、作業者に不快感を与えることがない。
【発明を実施するための最良の形態】
【００１７】
図１は本発明に係る防火処理用パッドの一実施形態を示す。この防火処理用パッド１０は、ペースト状耐火材１２を柔軟性のある袋１４に入れて密封したものである。ペースト状耐火材１２は、従来用いられている熱膨張性又は非熱膨張性のパテ状耐火材と材質は同じであるが、可塑剤（水性の場合は水、油性の場合は油）の量を多くして、ペースト状にしたものである。袋１４は中に空気が残らないように密封され、袋１４は全面でペースト状耐火材１２と密着している。この防火処理用パッド１０は、防火区画体の開口を貫通する可燃性長尺体の外周に巻き付けて、開口内に押し込むことにより、開口内の隙間を塞ぐものである。
【００１８】
袋１４は、可燃性のプラスチックフィルム（ポリエチレンやナイロン等）で形成するとよい。ペースト状耐火材１２が熱膨張性である場合には、袋１４が可燃性であれば、火災時に袋１４が焼失してしまうので、ペースト状耐火材１２が確実に熱膨張して、延焼防止効果を発揮する。またペースト状耐火材１２が非熱膨張性（耐火シール材等）である場合には、火災時に袋１４が焼失することで、非熱膨張性耐火材１２が火災の熱をよく吸収し、延焼防止効果を発揮する。ただしペースト状耐火材１２が非熱膨張性である場合は、袋１４が不燃性のものであっても、延焼防止効果は得られる。防火処理用パッド１０は、複数本の可燃性長尺体の集合体に巻き付けて施工できるようにするため、例えば長さ５５０ｍｍ、幅１００ｍｍ、平均厚さ１０ｍｍ程度のサイズにすることが好ましい。複数種のサイズを用意しておいて、現場の状況により使い分けるとよい。
【００１９】
ペースト状耐火材１２は、袋１４に入れたまま可燃性長尺体の外周面形状等に追従させるので、従来のパテ状耐火材程度の柔らかさでは形状追従性が十分でなく、パテ状耐火材よりも十分に柔らかいことが必要である。従来のパテ状耐火材は稠度が５０〜８０程度であるが、本発明で用いるペースト状耐火材は、種々の実験によると、稠度が１００〜３００の範囲にあることが好ましい。ペースト状耐火材１２の稠度が１００未満であると、パッドとしての柔軟性が十分でなく、パッドを複数本の可燃性長尺体の集合体に巻き付けたときに、隣接する可燃性長尺体の谷部に十分に入り込ませることが難しい。またペースト状耐火材の稠度が３００を超えると、柔らかすぎて、パッドとしての形状保持性が損なわれ、可燃性長尺体に巻き付けて開口内に押し込んでも、ダレが生じて形状が崩れてしまい、開口内に隙間ができやすい。
【００２０】
なお本発明において、稠度は、JIS K2235の5.4.2(1)に規定する針入度計を用いて、JIS K2220の5.3（ちょう度試験方法）に規定するちょう度計における針及びおもりを円錐に取り替えて測定する。試料中に上記の円錐を垂直に５秒間進入させ、円錐が進入した深さを0.1mmまで測定し、これを10倍した値（無名数）を稠度とする。円錐はJIS K2235の5.10.2(2)図９に示す形状・寸法のもので、その質量は102.5±0.05ｇとし、円錐を支える保持具はJIS K2235の5.4.2(3)に規定するもので、その質量は47.5±0.05ｇとする。
【００２１】
次にこの防火処理用パッド１０を用いて可燃性長尺体貫通部の防火処理構造を構成する方法を説明する。まず図２に示すように、建築物の防火区画体１６に形成された開口１８をケーブルや配管などの可燃性長尺体２０が複数本貫通している部分で、前記開口１８内に図５（Ａ）に示すような受け金具２２をセットする。次に受け金具２２の入口側で可燃性長尺体２０の外周に防火処理用パッド１０を巻き付け、可燃性長尺体２０の外周面に密接させると共に、開口１８に入るように成形する。パッド２０は表面がプラスチックフィルムであるため、作業者は手を汚すことなく、作業を行うことができる。
【００２２】
次にパッド１０を図３に示すように開口１８内に押し込み、手で押圧してパッド１０を可燃性長尺体２０の外周面と開口１８の内周面に密接させる。パッド１０は柔軟性にすぐれているため、隣接する可燃性長尺体２０の谷部に容易に入り込ませることができ、かつ開口１８の内周面にも密接させることも容易である。その後、受け金具２２の入口側に図５（Ｂ）に示すような押さえ金具２４を取り付ければ、図４に示すような防火処理構造が完成する。受け金具２２と押さえ金具２４は図５（Ｃ）のように組み立てられて、開口１８内でパッド１０の両端面を押さえる。
【００２３】
図４に示す防火処理構造で、防火区画体１６の片側で火災が発生して可燃性長尺体２０が燃え、火炎が防火処理用パッド１０付近に達した場合には、まず袋１４が燃えて中のペースト状耐火材１２が露出する。耐火材１２が熱膨張性の場合は、それが火災の熱で膨張して可燃性長尺体２０を覆い、それ以上の延焼を防止する。また耐火材１２が非熱膨張性の場合は、それが熱を吸収して、可燃性長尺体２０がそれ以上延焼するのを防止する。いずれの場合もペースト状耐火材１２が開口内の隙間を埋めるので、十分な防火性能が得られる。
【図面の簡単な説明】
【００２４】
【図１】本発明に係る防火処理用パッドの一実施形態を示す、（Ａ）は一部切開斜視図、（Ｂ）は断面図。
【図２】図１の防火処理用パッドを可燃性長尺体に巻き付けた状態を示す断面図。
【図３】図２で巻き付けた防火処理用パッドを防火区画体の開口内に押し込んだ状態を示す断面図。
【図４】本発明に係る防火処理構造の一実施形態を示す、（Ａ）は断面図、（Ｂ）は正面図。
【図５】図４の防火処理構造に使用した、（Ａ）は受け金具を、（Ｂ）は押さえ金具を、（Ｃ）は両金具の組立状態を示す斜視図。
【符号の説明】
【００２５】
１０：防火処理用パッド
１２：ペースト状耐火材
１４：袋
１６：防火区画体
１８：開口
２０：可燃性長尺体
２２：受け金具
２４：押さえ金具
【図１】
2005073357.tif 000003
【図２】
2005073357.tif 000004
【図３】
2005073357.tif 000005
【図４】
2005073357.tif 000006
【図５】
2005073357.tif 000007